(57)【要約】      （修正有）【課題】長尺の物品も収容可能でありながら、バッグ内を上下に仕切ることが可能なバッグ用仕切り部材を提供する。【解決手段】バッグ用仕切り部材の板状部材２は、第１−第３の折り曲げ部３ａ−３ｃを境界として、第１−第４の領域４ａ−４ｄに区分けされている。板状部材２には、第４の領域４ｄ側の端部から第３の折り曲げ部３ｃへ至る切れ目５が設けられており、切れ目５により、第４の領域４ｄ側の端部から第３の折り曲げ部３ｃまでの領域は、第１の分割領域６ａ及び第２の分割領域６ｂに分割されている。第１の領域４ａ及び第１の分割領域６ａには、組み立て状態において互いに係合可能な第１の係合部７ａがそれぞれ設けられており、第１の領域４ａ及び第２の分割領域６ｂには、各折り曲げ部３ａ−３ｃが同方向に折り曲げられた状態において互いに係合可能な第２の係合部７ｂがそれぞれ設けられている。【選択図】図２
0003229653.tif 000002
【実用新案登録請求の範囲】
【請求項１】
バッグ内に挿入されるバッグ用仕切り部材であって、
板状部材と、
前記板状部材に平行な第１の方向に沿って前記板状部材上の異なる位置にそれぞれ形成された第１の折り曲げ部、第２の折り曲げ部、及び、第３の折り曲げ部と、
を備え、
前記板状部材は、前記第１の折り曲げ部、前記第２の折り曲げ部、及び、前記第３の折り曲げ部を境界として、少なくとも第１の領域、第２の領域、第３の領域、及び、第４の領域に区分けされており、
前記板状部材には、前記第４の領域側の端部から前記第３の折り曲げ部へ至る切れ目が設けられており、前記切れ目により、前記第４の領域側の端部から前記第３の折り曲げ部までの領域は、第１の分割領域及び第２の分割領域に分割されており、
前記板状部材は、前記第１の領域と前記第３の領域、及び、前記第２の領域と前記第４の領域がそれぞれ対向するように各折り曲げ部が同方向に折り曲げられた組み立て状態に変形可能であり、前記第２の領域が底面となるようにバック内に挿入され、
前記第１の領域及び前記第１の分割領域には、前記組み立て状態において互いに係合可能な第１の係合部がそれぞれ設けられており、前記第１の領域及び前記第２の分割領域には、前記各折り曲げ部が同方向に折り曲げられた状態において互いに係合可能な第２の係合部がそれぞれ設けられていることを特徴とするバッグ用仕切り部材。
【請求項２】
前記切れ目は、前記板状部材を部分的に切り取ることにより設けられていることを特徴とする請求項１に記載のバッグ用仕切り部材。
【請求項３】
前記第１の方向に沿って前記前記板状部材上の前記第４の領域側に形成された第４の折り曲げ部を更に備え、
前記板状部材は、前記第４の折り曲げ部を境界として、前記第４の領域及び第５の領域に更に区分けされており、
前記第１の係合部は、前記第１の領域の面上及び前記第５の領域の前記第１の分割領域側の面上にそれぞれ設けられており、前記第２の係合部は、前記第１の領域の面上及び前記第５の領域の前記第２の分割領域側の面上にそれぞれ設けられていることを特徴とする請求項１又は２に記載のバッグ用仕切り部材。
【考案の詳細な説明】
【技術分野】
【０００１】
本考案は、バッグ内に挿入されるバッグ用仕切り部材に関する。
【背景技術】
【０００２】
従来より、棚部によってバッグ内を上下に仕切ることのできるバッグ類用の仕切りが知られている（例えば、特許文献１参照）。
【先行技術文献】
【特許文献】
【０００３】
【特許文献１】特許第６６２２００１号
【考案の概要】
【考案が解決しようとする課題】
【０００４】
しかしながら、上記特許文献では、バッグ内を上下方向に仕切ることはできるが、長尺の物品を収容することができなくなってしまう。
【０００５】
そこで、本考案は、長尺の物品も収容可能でありながらバッグ内を上下に仕切ることの可能なバッグ用仕切り部材を提供することを目的としている。
【課題を解決するための手段】
【０００６】
上記課題を解決するために、本考案は、バッグ内に挿入されるバッグ用仕切り部材であって、板状部材と、前記板状部材に平行な第１の方向に沿って前記板状部材上の異なる位置にそれぞれ形成された第１の折り曲げ部、第２の折り曲げ部、及び、第３の折り曲げ部と、を備え、前記板状部材は、前記第１の折り曲げ部、前記第２の折り曲げ部、及び、前記第３の折り曲げ部を境界として、少なくとも第１の領域、第２の領域、第３の領域、及び、第４の領域に区分けされており、前記板状部材には、前記第４の領域側の端部から前記第３の折り曲げ部へ至る切れ目が設けられており、前記切れ目により、前記第４の領域側の端部から前記第３の折り曲げ部までの領域は、第１の分割領域及び第２の分割領域に分割されており、前記板状部材は、前記第１の領域と前記第３の領域、及び、前記第２の領域と前記第４の領域がそれぞれ対向するように各折り曲げ部が同方向に折り曲げられた組み立て状態に変形可能であり、前記第２の領域が底面となるようにバック内に挿入され、前記第１の領域及び前記第１の分割領域には、前記組み立て状態において互いに係合可能な第１の係合部がそれぞれ設けられており、前記第１の領域及び前記第２の分割領域には、前記各折り曲げ部が同方向に折り曲げられた状態において互いに係合可能な第２の係合部がそれぞれ設けられていることを特徴とするバッグ用仕切り部材を提供している。
【０００７】
このような構成によれば、第４の領域で仕切られた上下の空間のそれぞれに物品を収納しつつ、第１の分割領域（又は、第２の分割領域）が下方（又は上方）へ移動するように第３の折り曲げ部を折り曲げることで形成された開口部を介して上下方向にわたって長尺な物品も収容することが可能となる。また、長尺な物品を収容しない場合には、第１の係合部（又は、第２の係合部）の係合を維持すれば、多くの物品を上下の空間のそれぞれに無駄なく収容することが可能となる。更に、バッグ内の大部分を占めるような大きな物品を収容する際には、第１の係合部及び第２の係合部の双方の係合を解除することで、上下の仕切りなしのバッグとして使用することも可能である。
【０００８】
また、前記切れ目は、前記板状部材を部分的に切り取ることにより設けられていることが好ましい。
【０００９】
このような構成によれば、第１の分割領域又は第２の分割領域を折り曲げる際に、互いに接触することなくスムーズに折り曲げることが可能となる。
【００１０】
また、前記第１の方向に沿って前記前記板状部材上の前記第４の領域側に形成された第４の折り曲げ部を更に備え、前記板状部材は、前記第４の折り曲げ部を境界として、前記第４の領域及び第５の領域に更に区分けされており、前記第１の係合部は、前記第１の領域の面上及び前記第５の領域の前記第１の分割領域側の面上にそれぞれ設けられており、前記第２の係合部は、前記第１の領域の面上及び前記第５の領域の前記第２の分割領域側の面上にそれぞれ設けられていることが好ましい。
【００１１】
このような構成によれば、第１の係合部（第２の係合部）を面上に設けることができるため、第１の係合部（第２の係合部）のサイズ・形状等に制約が少なくなり、より強固に第１の係合部（第２の係合部）同士を係合させることが可能となる。
【考案の効果】
【００１２】
本考案のバッグ用仕切り部材によれば、長尺の物品も収容可能でありながらバッグ内を上下に仕切ることが可能となる。
【図面の簡単な説明】
【００１３】
【図１】本考案の実施の形態によるバッグ用仕切り部材の使用方法の説明図
【図２】本考案の実施の形態による組立て前のバッグ用仕切り部材の説明図
【図３】本考案の実施の形態による開口部の説明図
【考案を実施するための形態】
【００１４】
以下で、本考案の実施の形態によるバッグ用仕切り部材１について、図１−図３を参照して説明する。
【００１５】
バッグ用仕切り部材１は、図１に示すように組み立てた上で、バッグＡ（本実施の形態では、トートバッグ）内に挿入されるものである。
【００１６】
図２は、組立て前のバッグ用仕切り部材１を示したものであり、バッグ用仕切り部材１は、板状部材２と、板状部材２に平行な第１の方向Ｘに沿って板状部材２上の異なる位置にそれぞれ形成された第１の折り曲げ部３ａ、第２の折り曲げ部３ｂ、第３の折り曲げ部３ｃ、及び、第４の折り曲げ部３ｄと、を備えている。
【００１７】
本実施の形態では、板状部材２として、略長方形状を有するプラスチック段ボールを採用し、第１の方向Ｘとして、板状部材２の短辺に略平行な方向を採用する。
【００１８】
板状部材２は、第１の折り曲げ部３ａ、第２の折り曲げ部３ｂ、第３の折り曲げ部３ｃ、及び、第４の折り曲げ部３ｄを境界として、第１の領域４ａ、第２の領域４ｂ、第３の領域４ｃ、第４の領域４ｄ、及び、第５の領域４ｅに区分けされている。
【００１９】
本実施の形態では、各折り曲げ部３ａ−３ｄの位置は、板状部材２の長辺に略平行な第２の方向Ｙにおいて、第２の領域４ｂと第４の領域４ｄが略同一の長さを有するように設定されている。また、各折り曲げ部３ａ−３ｄの位置は、第２の方向Ｙにおいて、第１の領域４ａが第３の領域４ｃよりも長くなるように設定されている。更に、各折り曲げ部３ａ−３ｄの位置は、第２の方向Ｙにおいて、第５の領域４ｅが他の領域よりも遥かに短くなるように設定されている。
【００２０】
また、板状部材２には、第５の領域４ｅ側の端部から第３の折り曲げ部３ｃへ至る切れ目５が設けられており、切れ目５により、第５の領域４ｅ側の端部から第３の折り曲げ部３ｃまでの領域は、第１の分割領域６ａ及び第２の分割領域６ｂに分割されている。
【００２１】
本実施の形態では、切れ目５は、板状部材２を部分的に切り取ることにより設けられている。
【００２２】
板状部材２は、図１に示すように、第１の領域４ａと第３の領域４ｃ、及び、第２の領域４ｂと第４の領域４ｄがそれぞれ対向するように各折り曲げ部３ａ−３ｄが同方向に略直角に折り曲げられた組み立て状態に変形可能であり、第２の領域４ｂが底面となるようにバッグＡ内に挿入される。この際、第５の領域４ｅは、第４の折り曲げ部３ｄを折り曲げることで、第１の領域４ａと対向した状態にされる。
【００２３】
第１の領域４ａ及び第１の分割領域６ａには、組み立て状態において互いに係合可能な第１の係合部７ａがそれぞれ設けられており、第１の領域４ａ及び第２の分割領域６ｂには、組み立て状態において互いに係合可能な第２の係合部７ｂがそれぞれ設けられている。
【００２４】
本実施の形態では、第１の係合部７ａは、第１の領域４ａの表面上及び第５の領域４ｅの第１の分割領域６ａ側の裏面上にそれぞれ設けられており、第２の係合部７ｂは、第１の領域４ａの表面上及び第５の領域４ｅの第２の分割領域６ｂ側の裏面上にそれぞれ設けられている。第１の係合部７ａ及び第２の係合部７ｂとしては、ボタンや面テープ等が考えられる。
【００２５】
第１の係合部７ａ及び第２の係合部７ｂをそれぞれ係合させることで、バッグ用仕切り部材１の中空の組み立て状態が保持されることとなり、このように組み立てられた状態のバッグ用仕切り部材１を、図１に示すように、第２の領域４ｂが底面となるようにバッグＡ内に挿入することで、バッグＡ内が上下に仕切られ、上下のそれぞれに物品を収容することが可能となる。なお、実際の使用の際には、第３の折り曲げ部３ｃを折り曲げない状態でバッグＡ内に挿入し、下段に物品を収容した後に第３の折り曲げ部３ｃを折り曲げて第１の係合部７ａ及び第２の係合部７ｂをそれぞれ係合させることが好ましい。
【００２６】
ここで、上述したように、本実施の形態によるバッグ用仕切り部材１は、図２に示すように、切れ目５により、第５の領域４ｅ側の端部から第３の折り曲げ部３ｃまでの領域は、第１の分割領域６ａ及び第２の分割領域６ｂに分割されている。
【００２７】
このような構造により、図３（ａ）に示すように、第１の分割領域６ａ（又は、第２の分割領域６ｂ）の第１の領域４ａとの係合を解除し、第１の分割領域６ａ（又は、第２の分割領域６ｂ）が下方（又は上方）へ移動するように第３の折り曲げ部３ｃを折り曲げることで、図３（ｂ）に示すように、上下方向に開口部８が形成される。これにより、第４の領域４ｄで仕切られた上下の空間のそれぞれに物品を収納しつつ、開口部８を介して上下方向にわたって長尺な物品Ｂも収容することが可能となる。なお、図３では、第３の折り曲げ部３ｃを途中までしか折り曲げていないが、第１の分割領域６ａ（又は、第２の分割領域６ｂ）が第３の領域４ｃに当接するまで折り曲げても良い。
【００２８】
以上説明したように、本実施の形態によるバッグ用仕切り部材１では、切れ目５により、第５の領域４ｅ側の端部から第３の折り曲げ部３ｃまでの領域は、第１の分割領域６ａ及び第２の分割領域６ｂに分割されている。
【００２９】
このような構成によれば、第４の領域４ｄで仕切られた上下の空間のそれぞれに物品を収納しつつ、開口部８を介して上下方向にわたって長尺な物品も収容することが可能となる。また、長尺な物品を収容しない場合には、第１の係合部７ａ（又は、第２の係合部７ｂ）の係合を維持すれば、多くの物品を上下の空間のそれぞれに無駄なく収容することが可能となる。更に、バッグＡ内の大部分を占めるような大きな物品を収容する際には、第１の係合部７ａ及び第２の係合部７ｂの双方の係合を解除することで、上下の仕切りなしのバッグとして使用することも可能である。
【００３０】
また、本実施の形態によるバッグ用仕切り部材１では、切れ目５は、板状部材２を部分的に切り取ることにより設けられている。
【００３１】
このような構成によれば、第１の分割領域６ａ又は第２の分割領域６ｂを折り曲げる際に、互いに接触することなくスムーズに折り曲げることが可能となる。
【００３２】
また、本実施の形態によるバッグ用仕切り部材１では、第１の係合部７ａは、第１の領域４ａの面上及び第５の領域４ｅの第１の分割領域６ａ側の面上にそれぞれ設けられており、第２の係合部７ｂは、第１の領域４ａの面上及び第５の領域４ｅの第２の分割領域６ｂ側の面上にそれぞれ設けられている。
【００３３】
このような構成によれば、第１の係合部７ａ（第２の係合部７ｂ）を面上に設けることができるため、第１の係合部７ａ（第２の係合部７ｂ）のサイズ・形状等に制約が少なくなり、より強固に第１の係合部７ａ（第２の係合部７ｂ）同士を係合させることが可能となる。
【００３４】
尚、本考案のバッグ用仕切り部材は、上述した実施の形態に限定されず、特許請求の範囲に記載した範囲で種々の変形や改良が可能である。
【００３５】
例えば、上記実施の形態では、第５の領域４ｅも設けられていたが、必ずしも第５の領域４ｅは設けなくても良い。この場合には、第４の領域４ｄの端部に第１の係合部７ａ（第２の係合部７ｂ）を設ければ良い。
【００３６】
また、上記実施の形態では、バッグＡとして、トートバッグを例に説明を行ったが、他の種類のバッグをバッグ用仕切り部材１によって仕切っても良い。
【００３７】
また、上記実施の形態では、略長方形状の板状部材２を用いたが、板状部材２は長方形状に限定されない。
【００３８】
また、上記実施の形態では、板状部材２の素材としてプラスチック段ボールを採用したが、上段に物品を載置することが可能な強度を有し、各折り曲げ部３ａ−３ｄを形成することが可能な素材であれば、その他の素材を採用しても良い。
【符号の説明】
【００３９】
１          仕切り部材
２          板状部材
３ａ−３ｄ        第１−第４の折り曲げ部
４ａ−４ｄ        第１−第５の領域
５          切れ目
６ａ−６ｂ        第１−第２の分割領域
７ａ−７ｂ        第１−第２の係合部
８          開口部
Ａ          バッグ
Ｂ          物品
Ｘ          第１の方向
Ｙ          第２の方向
【図１】
0003229653.tif 000003
【図２】
0003229653.tif 000004
【図３】
0003229653.tif 000005